(57)【要約】【課題】わかり易く方位を表示することができる画像記録装置を提供する。【解決手段】被写体を撮影する撮影部１６と、方位を計測する方位計測部８と、前記撮影部における撮影方向の水平面に対する傾斜角度を計測する傾斜角度計測部１０と、前記方位計測部により計測した前記方位を示す画像を表示する表示部１２と、前記傾斜角度計測部により計測した前記傾斜角度に基づいて前記表示部の表示を変更する表示制御部４とを備える。【選択図】図１
2013038734.tif 000002
【特許請求の範囲】
【請求項１】
被写体を撮影する撮影部と、
方位を計測する方位計測部と、
前記撮影部における撮影方向の水平面に対する傾斜角度を計測する傾斜角度計測部と、
前記方位計測部により計測した前記方位を示す画像を表示する表示部と、
前記傾斜角度計測部により計測した前記傾斜角度に基づいて前記表示部の表示を変更する表示制御部と
を備えることを特徴とする画像記録装置。
【請求項２】
前記表示制御部は、前記傾斜角度が前記水平面を基準とする所定の範囲内の角度である場合において、撮影方向の方位を文字で示す画像を前記表示部において表示することを特徴とする請求項１記載の画像記録装置。
【請求項３】
前記表示制御部は、前記傾斜角度が前記所定の範囲を地面方向に超えた場合において、コンパスで方位を表示する画像を前記表示部において表示することを特徴とする請求項１または２記載の画像記録装置。
【請求項４】
前記表示制御部は、前記傾斜角度が前記所定の範囲を天空方向に超えた場合において、方位を示す画像を前記表示部において表示しないことを特徴とする請求項１〜３のいずれか一項に記載の画像記録装置。
【請求項５】
前記表示制御部は、前記傾斜角度が前記所定の範囲を超えた後、前記水平面を基準として前記所定の範囲よりも狭い範囲内の角度に戻った場合、前記表示部の表示を元の表示に戻すことを特徴とする請求項２〜４のいずれか一項に記載の画像記録装置。
【請求項６】
前記撮影部により撮影された画像データに対して、前記撮影時における方位に関する情報を関連付ける記憶制御部を備えることを特徴とする請求項１〜５のいずれか一項に記載の画像記録装置。
【請求項７】
自己位置を測位する測位部を備え、
前記記憶制御部は、前記撮影部により撮影された画像データに対して、前記撮影時における自己位置に関する情報を関連付けることを特徴とする請求項６に記載の画像記録装置。
【請求項８】
前記所定の範囲は、前記傾斜角度が前記水平面を基準として±６０°の角度となる範囲であることを特徴とする請求項１〜７のいずれか一項に記載の画像記録装置。
【発明の詳細な説明】
【技術分野】
【０００１】
本発明は、画像記録装置に関するものである。
【背景技術】
【０００２】
従来、表示部において撮影方位を表示するデジタルカメラが知られている（例えば、特許文献１参照）。
【先行技術文献】
【特許文献】
【０００３】
【特許文献１】特開２００２−９４８７０号公報
【発明の概要】
【発明が解決しようとする課題】
【０００４】
しかし、このデジタルカメラにおいては、撮影レンズを天空や地面の方向に向けた場合において、適切に撮影方位を表示することができないという問題があった。
【０００５】
本発明の目的は、わかり易く方位を表示することができる画像記録装置を提供することである。
【課題を解決するための手段】
【０００６】
本発明の画像記録装置は、被写体を撮影する撮影部と、方位を計測する方位計測部と、前記撮影部における撮影方向の水平面に対する傾斜角度を計測する傾斜角度計測部と、前記方位計測部により計測した前記方位を示す画像を表示する表示部と、前記傾斜角度計測部により計測した前記傾斜角度に基づいて前記表示部の表示を変更する表示制御部とを備えることを特徴とする。
【発明の効果】
【０００７】
本発明の画像記録装置によれば、わかり易く方位を表示することができる。
【図面の簡単な説明】
【０００８】
【図１】実施の形態に係る電子カメラの構成を示すブロック図である。
【図２】実施の形態に係る電子カメラの傾斜角度を示す側面図、及び電子カメラを傾斜させることにより変化するＬＣＤ表示部の表示を示す図である。
【発明を実施するための形態】
【０００９】
以下、図面を参照して本発明の実施の形態に係る画像記録装置について電子カメラを例に説明する。図１は、実施の形態に係る電子カメラ２の構成を示すブロック図である。電子カメラ２は、ＣＰＵ４を備え、ＣＰＵ４には、ＧＰＳ衛星から受信した信号に基づいて自己位置を測位するＧＰＳ６、方位を計測する電子コンパス８、重力加速度を検出することにより水平面に対する電子カメラ２の撮影方向の傾斜角度を計測する加速度センサ１０が接続されている。
【００１０】
また、ＣＰＵ４には、被写体を撮影する撮影モードを設定するモードボタン（不図示）、レリーズ指示を行うレリーズボタン３４（図２（ａ）参照）等を含む操作部１１、スルー画像や方位を示す画像等を表示するＬＣＤ表示部１２の表示制御を行う表示制御部１４、撮影レンズ２８（図２（ａ）参照）を介した被写体光を撮像して撮像信号を生成する撮像素子１６、撮像素子１６から出力された撮像信号により生成された画像データを一時的に記憶する画像記憶部１８、電子コンパス８及び加速度センサ１０により計測して得られた情報を一時的に記憶する情報記憶部２０、ＬＣＤ表示部１２において表示する方位を示す画像の画像データを記憶する画像データ記憶部２２、Ｅｘｉｆ等の所定のファイル形式で画像データを記憶するメモリカード２４、ＬＣＤ表示部１２において方位を示す画像の表示等を行うためのプログラム等を格納するプログラムメモリ２６が接続されている。
【００１１】
ここで、画像データ記憶部２２には、複数の方位を示す画像、即ち、方位を文字で示す画像（以下、文字画像と略す。）、及びコンパスの針で方位を示す画像（以下、コンパス画像と略す。）の画像データが記憶されている。
【００１２】
次に、図面を参照して実施の形態に係る電子カメラ２の処理について説明する。まず、モードボタンが操作されて撮影モードが設定されると、ＣＰＵ４は、撮像素子１６によりスルー画像の撮影を開始し、ＬＣＤ表示部１２においてスルー画像を表示する。
【００１３】
次に、ＣＰＵ４は、電子コンパス８により方位を計測することにより現在の方位に関する情報（以下、現在の方位情報という。）を取得する。また、加速度センサ１０により撮影方向の水平面に対する傾斜角度を計測することにより現在の傾斜角度に関する情報（以下、現在の傾斜角度情報という。）を取得する。ここで、現在の方位情報の取得及び現在の傾斜角度情報の取得は一定時間間隔で行われ、取得された現在の方位情報及び現在の傾斜角度情報は情報記憶部２０に記憶される。
【００１４】
次に、ＣＰＵ４は、情報記憶部２０から現在の傾斜角度情報を読み出し、現在の傾斜角度情報に基づいて画像データ記憶部２２から読み出す画像データを決定する。例えば、図２（ａ）に示すように、撮影レンズ２８が水平方向に向けられ、現在の傾斜角度が水平面（０°）を基準として±６０°の範囲内にある場合、ＣＰＵ４は、画像データ記憶部２２から文字画像の画像データを読み出す。
【００１５】
次に、ＣＰＵ４は、情報記憶部２０から現在の方位情報を読み出し、また、画像データ記憶部２２から文字画像の画像データを読み出し、図２（ｂ）に示すように、現在の方位情報に基づいて、文字で方位を示す文字画像３０をＬＣＤ表示部１２において表示されているスルー画像上に重ねて表示する。
【００１６】
次に、ＣＰＵ４は、現在の傾斜角度が水平面（０°）を基準として＋側（−側）に６０°を超えたか否かを判定する。現在の傾斜角度が水平面（０°）を基準として＋側（−側）に６０°を超えていない場合、即ち、現在の傾斜角度が水平面（０°）を基準として±６０°の範囲内にある場合、ＣＰＵ４は、ＬＣＤ表示部１２において継続して文字画像３０を表示する。
【００１７】
一方、現在の傾斜角度が水平面（０°）を基準として＋側（−側）に６０°を超えた場合（図２（ａ）参照）、ＣＰＵ４は、ＬＣＤ表示部１２に表示されている文字画像３０の表示を判定結果に基づいて他の表示に変更する。例えば、撮影レンズ２８が地面の方向を向くように電子カメラ２が傾けられ、現在の傾斜角度が水平面（０°）を基準として＋側に６０°を超えたとする。この場合、ＣＰＵ４は、情報記憶部２０から現在の方位情報を読み出し、また、画像データ記憶部２２からコンパス画像の画像データを読み出し、図２（ｃ）に示すように、現在の方位情報に基づいて、コンパスの針の指向する方位を示すコンパス画像３２をＬＣＤ表示部１２において表示されているスルー画像上に重ねて表示する。
【００１８】
なお、撮影レンズ２８が天空の方向を向くように電子カメラ２が傾けられ、現在の傾斜角度が水平面（０°）を基準として−側に６０°を超えた場合（図２（ａ）参照）、ＣＰＵ４は、画像データの読み出しを行わず、図２（ｄ）に示すように、ＬＣＤ表示部１２において方位を示す画像を表示しない。
【００１９】
ＬＣＤ表示部１２においてコンパス画像３２が表示された場合（図２（ｃ）参照）、または、方位を示す画像の表示されない場合（図２（ｄ）参照）、ＣＰＵ４は、現在の傾斜角度が水平面（０°）を基準として、±６０°の範囲よりも狭い±５０°の範囲内（図２（ａ）参照）に戻ったか否かを判定する。
【００２０】
例えば、再び撮影レンズ２８が水平方向を向くように電子カメラ２が傾けられ、撮影方向の傾斜角度が地面方向９０°（天空方向９０°）を基準として４０°を超えた場合、即ち、現在の傾斜角度が水平面（０°）を基準として±５０°の範囲内に戻った場合、ＣＰＵ４は、再び画像データ記憶部２２から文字画像３０の画像データを読み出し、文字画像３０をＬＣＤ表示部１２において表示する（図２（ｂ）参照）。
【００２１】
この状態で、レリーズボタン３４が操作されて被写体の撮影が行われると、ＣＰＵ４は、撮影された画像の画像データを画像記憶部１８に一旦記憶する。次に、ＣＰＵ４は、情報記憶部２０から現在の方位情報を読み出し、画像記憶部１８から読み出した画像データに現在の方位情報をタグ情報として付加し、Ｅｘｉｆ等の所定のファイル形式の画像データとしてメモリカード２４に記憶する。
【００２２】
この実施の形態に係る電子カメラ２によれば、撮影方向の水平面に対する傾斜角度が所定の傾斜角度を超えた場合にＬＣＤ表示部１２の表示を切換えるため、わかり易く方位を表示することができる。また、一度ＬＣＤ表示部１２に表示されている画像を切換えた場合、画像を切換えた時の傾斜角度を超えるまで電子カメラ２の傾斜角度を元に戻さないと元の画像に戻らないようにヒステリシスが設定されているため（図２（ａ）参照）、ＬＣＤ表示部１２のちらつきを防止することができる。また、撮影レンズ２８を地面の方向に向けてＬＣＤ表示部１２が水平面と略平行になるようにした場合、コンパス画像３２で方位を表示するため、操作者は電子カメラ２をコンパスとして用いることができる。
【００２３】
なお、上述の実施の形態において、撮影レンズ２８が天空の方向を向くように電子カメラ２が傾けた場合においても、ＬＣＤ表示部１２においてコンパス画像３２を表示するようにしてもよい。例えば、６軸加速度センサを備え、６軸加速度センサの出力を利用することにより東西の方位を正確に測定し、東西の方位が反転しないようにコンパス画像３２をＬＣＤ表示部１２において表示するようにしてもよい。これにより、天体を撮影する場合等においても操作者に正確に方位を認識させることができる。
【００２４】
また、上述の実施の形態において、撮影レンズ２８が地面の方向を向くように電子カメラ２を傾けた状態でレリーズ指示が行われた場合において、画像データに現在の方位情報をタグ情報として付加するようにしてもよい。これにより、画像データに基づく画像を再生した場合において、画像の上側の方向を基準とした場合の方位を操作者に認識させることができる。なお、撮影レンズ２８が天空の方向を向くように電子カメラ２が傾けた状態でレリーズ指示が行われた場合は、ＬＣＤ表示部１２に方位を示す画像が表示されないため（図２（ｄ）参照）、画像データに現在の方位情報を付加しないようにする。
【００２５】
また、上述の実施の形態において、ＧＰＳ６により現在の自己位置に関する情報を取得し、レリーズ指示が行われた場合、画像データに現在の自己位置に関する情報をタグ情報として付加するようにしてもよい。これにより、操作者は、画像の撮影位置を認識ことができる。
【００２６】
また、上述の実施の形態においては、初めに撮影レンズ２８が水平方向に向けられる場合を例に説明しているが、初めに撮影レンズ２８が地面方向（天空方向）に向けられるように設定してもよい。そして、その後撮影レンズ２８が水平方向を向くように電子カメラ２が傾けられ、撮影方向の傾斜角度が地面方向９０°（天空方向９０°）を基準として、３０°（図２（ａ）参照）を超えた場合、ＬＣＤ表示部１２において文字画像３０を表示するようにしてもよい。
【００２７】
また、上述の実施の形態において、ＬＣＤ表示部１２の表示を変更するか否かを判定する際の閾値となる傾斜角度については、図２（ａ）を用いて説明した傾斜角度に限定されず、操作者が任意に設定することができる。
【符号の説明】
【００２８】
２…デジタルカメラ、４…ＣＰＵ、６…ＧＰＳ、８…電子コンパス、１０…加速度センサ、１１…操作部、１２…ＬＣＤ表示部、１４…表示制御部、１６…撮像素子、１８…画像記憶部、２０…情報記憶部、２２…画像データ記憶部、２４…メモリカード、２６…プログラムメモリ
【図１】
2013038734.tif 000003
【図２】
2013038734.tif 000004